(57)【要約】      （修正有）【課題】光源を有する装置における光源の新規な利用の態様を提供する。光源を有する装置の新規な発光の態様を提供する。【解決手段】導光性材料からなる棒状部材２０と、第１の光源と、第２の光源と、を有する装置において、第１の光源からの光は棒状部材の側面の第１の領域に照射され、第２の光源からの光は棒状部材の側面の第２の領域に入射し、第１の領域と第２の領域は棒状部材の長手方向において互いに異なり、第２の光源からの光は棒状部材の端面から出射する。これにより、第１の光源から発せられて棒状部材の側面の第１の領域において反射された光は棒状部材の側面の発光として視認され、第２の光源からの光のうち棒状部材の側面の第２の領域に入射し棒状部材の端面から出射した光は棒状部材の端面の発光として視認される。【選択図】図１
2018159730.tif 000002
【特許請求の範囲】
【請求項１】
導光性材料からなる棒状部材と、
第１の光源と、
第２の光源と、を有する装置であって、
前記第１の光源からの光は前記棒状部材の側面の第１の領域に照射され、
前記第２の光源からの光は前記棒状部材の側面の第２の領域に入射し、
前記第１の領域と前記第２の領域は前記棒状部材の長手方向において互いに異なり、
前記第２の光源からの光は前記棒状部材の端面から出射する、装置。
【請求項２】
前記棒状部材の側面の前記第２の領域は粗面である、請求項１に記載の装置。
【請求項３】
前記棒状部材の側面の前記第１の領域と前記第２の領域の境界に設置される仕切り板を更に有する、請求項１または請求項２に記載の装置。
【請求項４】
束状に配置される複数の前記棒状部材を備える、請求項１〜３のいずれか一項に記載の装置。
【請求項５】
前記第１の光源と前記第２の光源はそれぞれ前記複数の棒状部材を囲むように配置される、請求項４に記載の装置。
【発明の詳細な説明】
【技術分野】
【０００１】
本発明は、光源を有する装置に関する。
【背景技術】
【０００２】
従来、光源を有する装置の一例として、椅子と発光装置とを組み合わせた構成が提案されている。例えば、特許文献１（特開平９−２５２８７５号公報）には、椅子の背もたれの背面に発光表示される電飾看板を備えた電飾看板付椅子が記載されている（請求項１、図１〜４等参照）。特許文献１にはまた、椅子の背もたれおよび肘掛けの上面にフラッシュライトなどの発光体を組み込んだ構成（請求項５、図５等参照）が記載されている。
【先行技術文献】
【特許文献】
【０００３】
【特許文献１】特開平９−２５２８７５号公報
【発明の概要】
【発明が解決しようとする課題】
【０００４】
しかしながら、特許文献１に記載されているように椅子の背もたれの背面や、背もたれと肘掛けの上面にのみ発光装置を配置する態様では、椅子の全体に占める発光部分の位置や範囲は限定的なものであり、特に座面の発光については何ら考慮されておらず、また、発光装置からの発光の態様は従来通りのものであり、なお発展や改良の余地があった。
【０００５】
本発明は上記課題に鑑み、光源を有する装置における光源の新規な利用の態様を提供することをその目的の一つとする。また、光源を有する装置の新規な発光の態様を提供することを本発明の目的の別の一つとする。
【課題を解決するための手段】
【０００６】
本発明の発明者らは上記課題を解決するために鋭意検討を重ねた結果、以下のように本発明の各局面に想到した。
すなわち、本発明の第１の局面に係る装置は、導光性材料からなる棒状部材と、第１の光源と、第２の光源と、を有する装置であって、第１の光源からの光は棒状部材の側面の第１の領域に照射され、第２の光源からの光は棒状部材の側面の第２の領域に入射し、第１の領域と第２の領域は棒状部材の長手方向において互いに異なり、第２の光源からの光は棒状部材の端面から出射する。
このような構成によれば、第１の光源から発せられて棒状部材の側面の第１の領域において反射された光は棒状部材の側面の発光として視認され、第２の光源からの光のうち棒状部材の側面の第２の領域に入射し棒状部材の端面から出射した光は棒状部材の端面の発光として視認される。こうして、棒状部材の側面を発光させるための光源と、棒状部材の端面を発光させるための光源とが別の光源となっていることで、例えば、棒状部材の側面と端面とをそれぞれを異なる輝度、色、パターン等の態様で発光させることが可能となる。このように、本発明の第１の局面による装置は新規な態様の発光を実現できる。
【０００７】
また、本発明の第２の局面によれば、上記の装置において、棒状部材の側面の第２の領域は粗面である。これによれば、棒状部材の側面の第２の領域での反射光および透過光を減らし、棒状部材の上端面から出射する光量を増大させることが可能となる。
また、本発明の第３の局面によれば、上記の装置は、棒状部材の側面の第１の領域と第２の領域の境界に設置される仕切り板を更に有する。これによれば、第１の光源からの光と第２の光源からの光が混ざり合うことを回避でき、特に、棒状部材の側面と端面とをそれぞれを異なる輝度、色、パターン等の態様で発光させる場合の演出効果を高めることができる。
【０００８】
また、本発明の第４の局面によれば、上記の装置は、束状に配置される複数の棒状部材を備える。これによれば、第１の光源からの光が複数の棒状部材の側面で繰り返し反射されるとともに、第２の光源からの光が複数の棒状部材の端面から放出され、全体として新規な発光態様が提供される。また、この場合、本発明の第５の局面によれば、第１の光源と第２の光源はそれぞれ複数の棒状部材を囲むように配置される。これによれば、複数の棒状部材の束の外周が最も明るく、内側へ行くに従って徐々に暗くなるグラデーション状の発光態様を実現できる。
【図面の簡単な説明】
【０００９】
【図１】図１は本発明の第１実施形態に係る保持装置の斜視図である。
【図２】図２は第１実施形態に係る保持装置の平面図である。
【図３】図３（Ａ）は図２の保持装置のＩＩＩＡ−ＩＩＩＡ断面を矢印の方向に見た縦断面図であり、図３（Ｂ）は図３（Ａ）において一点鎖線ＩＩＩＢで囲む範囲を拡大して示す拡大部分断面図である。
【図４】図４は図３（Ａ）のＩＶ−ＩＶ切断面を矢印の方向に見た部分断面図である。
【図５】図５は図３（Ａ）のＶ−Ｖ切断面を矢印の方向に見た部分断面図である。
【図６】図６は本発明の第２実施形態に係る保持装置の縦断面図である。
【図７】図７は本発明の第３実施形態に係る保持装置の平面図である。
【図８】図８は図７の保持装置のＶＩＩＩ−ＶＩＩＩ断面を矢印の方向に見た縦断面図である。
【図９】図９は本発明の第４実施形態に係る保持装置の縦断面図である。
【図１０】図１０は本発明の第５実施形態に係る保持装置の平面図である。
【図１１】図１１は本発明の比較例に係る保持装置の縦断面図である。
【発明を実施するための形態】
【００１０】
以下、本発明に係る光源を有する装置につき、それを保持装置として具現化した場合の複数の実施形態を例に取り、添付の図面を参照して説明する。
（第１実施形態）
図１は本発明の第１実施形態に係る保持装置１の斜視図であり、図２は保持装置１の平面図であり、図３（Ａ）は図２の保持装置１のＩＩＩＡ−ＩＩＩＡ断面を矢印の方向に見た縦断面図である。これらの図に示すように、保持装置１は略円柱状の基台１０と、基台１０から上方へ突出する複数の棒状部材２０を有する。棒状部材２０はアクリル樹脂（ＰＭＭＡ樹脂）やポリカーボネート樹脂（ＰＣ樹脂）等の透明な樹脂やガラス等の透光性を有する無色または有色の導光性材料からなる。図例において、各棒状部材２０は円柱状のものとして形成される。
【００１１】
基台１０の上面は板状の仕切り板１２と、仕切り板１２の縁部分の一段高い位置に配置される環状の平板部材である枠部１１からなる。基台１０はその周面を形成する壁部を更に有する。仕切り板１２は金属、樹脂、木材等の材質からなり、材質そのものが遮光性を有するか、もしくは、塗装、印刷、メッキ、スパッタリング等による遮光性の表面処理が施されることによって遮光性を有するものとなっている。仕切り板１２には複数の棒状部材２０の数および断面形状に対応する複数の穴１３が形成され、各棒状部材２０は穴１３に挿通されている。これにより、各棒状部材２０は、仕切り板１２よりも上に突出する部分（以下、「突出部分」とも称する）と、仕切り板１２よりも下の基台１０の内部の空間に収容される部分（以下、「被収容部分」とも称する）とを有する。各棒状部材２０は対応する穴１３に対して遊嵌されていてもよく、圧入されていてもよく、穴１３の内周面に対して接着剤等により固定されていてもよい。複数の棒状部材２０と仕切り板１２とが一体的に形成されていてもよい。
【００１２】
図３（Ａ）に示す例においては、複数の棒状部材２０の上端部の位置は一つの仮想的な平面に沿う。これにより、保持装置１は、複数の棒状部材２０の上端部の上に人が座ったり寝たりするための椅子、ベッド、ソファ等としての機能や、物を置くためのテーブルや棚等としての機能を奏し得る。本発明は、複数の棒状部材２０の上端部の位置が一つの仮想的な平面に沿う構成に限定されず、複数の棒状部材２０の上端部の位置が複数の仮想的な平面に沿う構成や、一つまたは複数の仮想的な曲面に沿う構成とすることもできる。特に、保持装置１を椅子として用いる場合、複数の棒状部材２０の上端面は群として座面としての機能を奏し、複数の棒状部材２０の上端部は人の臀部や大腿部に沿う曲面形状に沿うように配置されることが好ましい。
【００１３】
図３（Ｂ）は図３（Ａ）において一点鎖線ＩＩＩＢで囲む範囲を拡大して示す拡大部分断面図である。図４は図３（Ａ）の保持装置１のＩＶ−ＩＶ切断面を矢印の方向に見た部分断面図である。図示するように、保持装置１は仕切り板１２の周縁部付近の上面の上に設置される円環形状の第１の光源３０を更に備える。第１の光源３０は複数の棒状部材２０の束の外周を囲むように配置されている。第１の光源３０はその周方向に互いに間隔を空けて配置される複数の発光部３１を有し、複数の発光部３１は、複数の棒状部材２０の束へ向けて光を照射するように構成および配置されている。
【００１４】
第１の光源３０の各発光部３１は、通電により、複数の棒状部材２０の突出部分の周面に対して光を照射することとなる。照射された光は複数の棒状部材２０の突出部分を透過したり、突出部分の周面において反射されたりし、このように透過するかまたは反射された光は別の棒状部材２０の突出部分を透過するかまたはその周面で反射され、このような光の透過と反射とが複数の棒状部材２０において繰り返し生じる。こうして、第１の光源３０の各発光部３１からの発光により、各棒状部材２０の周面を輝かせる演出を行うことができる。また、このように各棒状部材２０の周面が発光しているように視認されるため、第１の光源３０の発光部３１よりも多くの棒状部材２０を備えることで、発光部３１の実際の数よりも多くの光源から発光しているように見える光の演出を行うことができる。
【００１５】
このような第１の光源３０の発光部３１からの光による複数の棒状部材２０の周面の発光を複数の棒状部材２０においてより均一に行うためには、棒状部材２０同士の隙間を比較的狭くすることが好ましい。そのための一つの指標として、例えば、複数の棒状部材２０の直径ａ（図３（Ｂ）参照）の平均的な値Ａと、複数の棒状部材２０の間の隙間の長さｂ（図３（Ｂ）参照）の平均的な値Ｂが、Ｂ／Ａ≦２の関係を満たす様にすることが好ましい。
【００１６】
図５は図３（Ａ）の保持装置１のＶ−Ｖ切断面を矢印の方向に見た部分断面図である。図示するように、保持装置１は、仕切り板１２よりも下の基台１０の内周面に設置される円環形状の第２の光源４０を更に有する。第２の光源４０は複数の棒状部材２０の束の外周を囲むように配置される。第２の光源４０はその周方向に互いに間隔を空けて配置される複数の発光部４１を有し、複数の発光部４１は、複数の棒状部材２０の束へ向けて光を照射するように構成および配置されている。
【００１７】
第２の光源４０の発光部４１は、通電により、棒状部材２０の被収容部分の周面に対して光を照射することとなる。第２の光源４０の発光部４１から各棒状部材２０の被収容部分の周面へ照射された光の一部は棒状部材２０の周面から各棒状部材２０の内部へと進入し、進入した光の一部は当該棒状部材２０の内面で反射され、当該棒状部材２０の上端面から外側へ放出される。こうして、第２の光源４０の発光部４１から照射される光により、複数の棒状部材２０の上端面がそれぞれ発光し、複数の棒状部材２０の上端面が全体として点状に発光する演出を行うことができる。各棒状部材２０の上端面が発光しているように視認されることから、第２の光源４０の発光部４１よりも多くの棒状部材２０を備えることにより、発光部４１の実際の数よりも多くの光源から発光しているように見える光の演出を行うことができる。棒状部材２０の下端面を白色とする加工を行うことで、棒状部材２０の上端面からの発光の視認性を高めることができる。棒状部材２０の下端面を白色とする加工に代えて、または、それに加えて、棒状部材２０の下端面が接するか面する他部材の部分または面を白色としても同様の効果が得られる。
なお、各棒状部材２０は、被収容部分の周面（図３（Ｂ）において両矢印「ア」によって示す範囲内の周面）に対してブラスト処理、つや消しクリア塗装、メンディングテープの貼付等の粗面化処理が施されている。そのため、光入射面としての棒状部材２０の被収容部分の周面での反射光および透過光を減らし、棒状部材２０の上端面から出射する光量を増大させることが可能となる。
【００１８】
このように、棒状部材２０の突出部分の周面を発光させるための第１の光源３０と、棒状部材２０の上端面を発光させるための第２の光源４０とが別の光源となっていることで、例えば、棒状部材２０の周面と上端面とをそれぞれを異なる輝度、色、パターン等の態様で発光させることが可能となる。そのために、第１の光源３０の発光部３１と第２の光源４０の発光部４１の発光の輝度、色、パターン等の態様を異ならせてもよい。時間の経過とともに第１の光源３０の発光部３１と第２の光源４０の発光部４１の少なくとも一方の発光の態様を変化させてもよい。第１および第２の光源３０、４０の複数の発光部３１、４１の間で発光の態様を異ならせてもよい。荷重センサを用いる等して、棒状部材２０に加えられる荷重に応じて第１および第２の光源３０、４０の複数の発光部３１、４１の発光の態様を変化せてもよい。
【００１９】
第１の光源３０の発光部３１や第２の光源４０の発光部４１はＬＥＤや有機ＥＬ等の発光素子としてもよく、その他、蛍光灯や白熱電球等としてもよく、更にはこれらに限られない。第１の光源３０、第２の光源４０はそれらの全周が発光する線状光源でもよく、全周の内周側のみが線状に発光するものでもよい。環状の第１の光源３０を用いることに代えて、複数の発光部３１のみを直接、仕切り板１２に取り付けてもよい。同様に、環状の第２の光源４０を用いることに代えて、複数の発光部４１のみを直接、基台１０の内面に取り付けてもよい。
第１の光源３０の発光部３１と第２の光源４０の発光部４１の位置や個数は互いに異なっていてもよい。第１の光源３０の発光部３１間の間隔や第２の光源４０の発光部４１間の間隔は一定でなくてもよい。
なお、第１の光源３０の発光部３１および第２の光源４０の発光部４１を発光させるための電源や制御回路については図示を省略した。
【００２０】
上記説明においては基台１０の横断面形状を円形状としたが、本発明はこれに何ら限定されず、基台１０の横断面形状を楕円形状としたり、長円型としたり、多角形状としたり、その他、任意の形状とすることができる。基台１０の形状としては柱状に限定されず、台形状その他、任意の形状とすることができる。その場合、基台１０の形状に応じて、枠部１１、仕切り板１２、第１の光源３０、第２の光源４０等の形状や棒状部材２０の配置位置も任意に設定可能である。
保持装置１は、人や物を保持する機能を有するものとして説明したが、単に照明装置や装飾装置としての使用も可能である。その場合、保持装置１の設置方向は横置きや上下反対とするなど任意である。更に、本発明に係る装置は、保持装置１単体として実現するのみならず、自動車用シートなど、他の製品の一部として実現することも可能である。
【００２１】
枠部１１の上面および側面や仕切り板１２の上面は鏡面となっていてもよい。鏡面による光の反射により、より奥行きのある光の演出が可能となる。
仕切り板１２は透明な部材であってもよく、あるいは、省略してもよい。ただし、仕切り板１２が遮光性を有する場合には、第１の光源３０の光と第２の光源４０の光が混ざり合うのを避けられる利点があり、例えば、棒状部材２０の周面と上端面とをそれぞれを異なる輝度、色、パターン等の態様で光らせる場合の演出効果を高めることができる。
【００２２】
棒状部材２０は円柱状に限らず、楕円柱状、多角柱状であってもよい。また、棒状部材２０は管形状を有していてもよい。棒状部材２０は柱状以外の長尺の部材であってもよい。棒状部材２０が円柱状でない場合、上述した「棒状部材２０の直径ａの平均的な値Ａ」に代えて、第１の光源３０の発光部３１と略同じ高さにおける棒状部材２０の断面形状を、その外周が規定する断面積と同じ断面積を有する円形状に置換した場合の当該円形状の直径の平均的な値Ａ’を用いる等してもよい。棒状部材２０の上端面の縁が面取りされていてもよい。
棒状部材２０の本数は上記図示例に何ら限定されない。また、複数の棒状部材２０は形状や寸法が均一である必要はない。例えば、保持装置１の中央部付近の棒状部材２０の高さを保持装置１の周縁部に比べて低くして人の臀部に合わせた座面を形成してもよい。また、保持装置１の周縁部付近における棒状部材２０の上端を中央部付近より高く設定することで、一部の棒状部材２０がひじ掛け、背もたれ、枕、棚等として機能するように形成してもよい。
図例においては、仕切り板１２のうち、枠部１１と重なる部分を除く範囲に複数の棒状部材２０をほぼ均一の配置密度となるように配置したが、棒状部材２０の配置密度を仕切り板１２内の場所によって異ならせてもよい。
【００２３】
棒状部材２０と穴１３との隙間は、棒状部材２０が穴１３の内周縁によって安定的に保持され得る程度に狭く設定されたり、その隙間から光が漏れない程度に狭く設定されていたりしていてもよい。棒状部材２０と穴１３と隙間に保持用または光漏れ防止用のスポンジ状ウレタン樹脂やゴム等の可撓部材を取り付けてもよい。
仕切り板１２の一部または全部にメッシュ状、格子状、ルーバー状その他の通風孔を設け、基台１０内部に送風機または空調機を備え、送風機または空調機からの風を通風孔から基台１０の上方へ向かって噴出させる構成としてもよい。
【００２４】
（第２実施形態）
図６は、本発明の第２実施形態に係る保持装置１Ａの縦断面図であり、第１実施形態の図３（Ａ）の縦断面図に対応する図である。第２実施形態に係る保持装置１Ａは、第１実施形態の保持装置１の構成に加えて、基台１０Ａの内部に設置される弾性材料ブロック５０を有する。弾性材料ブロック５０はウレタン樹脂などの弾性材料からなる。弾性材料ブロック５０は基台１０Ａ内部の底部に配置され、複数の棒状部材２０の下端が弾性材料ブロック５０の上面に接するようになっている。基台１０Ａは、仕切り板１２Ａに加えて、支持板６０を有する。支持板６０は仕切り板１２Ａと同様の形状および穴を有し、仕切り板１２Ａの下部に所定の間隔を隔てて基台１０Ａの内周面に取り付けられる。仕切り板１２Ａと支持板６０の穴は上下方向において一致するように配置されており、各棒状部材２０は上下方向に並ぶ仕切り板１２Ａの穴１３Ａと支持板６０の穴に摺動可能に挿通される。
【００２５】
棒状部材２０の上端に対して下向きの荷重が加えられると、棒状部材２０は仕切り板１２Ａの穴１３Ａと支持板６０の穴の内部を移動して、棒状部材２０の下端が弾性材料ブロック５０の当接している部分を下方向に押し込む。その結果、棒状部材２０が基台１０Ａの内部へ向かって下がる。棒状部材２０の上端に対する荷重が取り除かれると、弾性材料ブロック５０は元の形状へ復元することで棒状部材２０を上方へ押し戻し、棒状部材２０は元の位置へ戻る。
このような構成により、例えば、複数の棒状部材２０の上端の上に人が座ったり寝たりしたとき、人の臀部や、大腿部、背中等の体表面の形状に沿って各棒状部材２０がそれぞれ沈み込むため、快適な使用感が提供される。
【００２６】
（第３実施形態）
次に、本発明の第３実施形態に係る保持装置１Ｂにつき、図７および図８を参照して説明する。図７は本発明の第３実施形態に係る保持装置１Ｂの平面図であり、図８は図７の保持装置１ＢのＶＩＩＩ−ＶＩＩＩ断面を矢印の方向に見た縦断面図である。これらの図に示す様に、第３実施形態に係る保持装置１Ｂは、基台１０Ｂの仕切り板１２Ｂの一部の上面に対して楕円柱状の箱状部１４が、複数の棒状部材２０に囲まれる態様で固定されている。箱状部１４の上面には複数の穴１５が形成されており、複数の穴１５には複数の棒状部材２１が挿通されており、複数の棒状部材２１は箱状部１４の上方へ突出する。複数の棒状部材２１はアクリル樹脂（ＰＭＭＡ樹脂）やポリカーボネート樹脂（ＰＣ樹脂）等の透明な樹脂やガラス等の透光性を有する無色または有色の導光性材料からなる。図例において、箱状部１４の棒状部材２１は、仕切り板１２Ｂの穴１３Ｂに挿通される棒状部材２０よりも径が小さい円柱形状を有するものとなっている。ただし、本発明の適用において、棒状部材２０と棒状部材２１の径の大小関係は問わない。
【００２７】
箱状部１４の内部には図示しない光源が設置されており、その光源からの光が各棒状部材２１の周面に照射され、棒状部材２１の内部へ入射した光が棒状部材２１の上端から放出される構成としてもよい。棒状部材２１の周面のうち、箱状部１４の内部となる部分に粗面化処理が施され、光源からの光が棒状部材２１の内部へより入射し易い構成となっていてもよい。
箱状部１４の外面は鏡面となっており、箱状部１４の周囲に存在する複数の棒状部材２０からの光を反射する構成となっている。このような構成により、奥行きや広がりのある発光の態様が提供される。箱状部１４の複数の棒状部材２１の上端部は、例えば、肘掛や枕、棚等として利用することができる。
【００２８】
（第４実施形態）
次に、本発明の第４実施形態に係る保持装置１Ｃにつき、図９を参照して説明する。図９は本発明の第４実施形態に係る保持装置１Ｃの縦断面図であり、第３実施形態の図８に対応する図である。第４実施形態に係る保持装置１Ｃは第３実施形態に係る保持装置１Ｂの箱状部１４と同様の箱状部１４Ｃを有する。ただし、第４実施形態に係る保持装置１Ｃの箱状部１４Ｃは、内部にシリコーンゲル等からなる弾性膜部７０を有する。弾性膜部７０の外周部分が箱状部１４Ｃの内周面に対して固定されることで、弾性膜部７０は箱状部１４Ｃの内部を水平方向に横断するように延在する。箱状部１４Ｃの複数の棒状部材２１は下端部が弾性膜部７０の上面の上に載置または固定される。
【００２９】
複数の棒状部材２１は箱状部１４Ｃの上面に形成された穴１５Ｃに摺動可能に挿通されている。棒状部材２１を支持するための支持板７１が箱状部１４Ｃの内部であって弾性膜部７０よりも上の位置に配置されている。支持板７１は箱状部１４Ｃの穴１５Ｃと上下で重なる位置に同様の穴を有し、各棒状部材２１は箱状部１４Ｃの穴１５Ｃと支持板７１の穴に摺動可能に挿通されている。複数の棒状部材２１の下端部が弾性膜部７０の上面に固定される場合、支持板７１は省略してもよい。
以上の構成において、棒状部材２１の上端に下向きの荷重が加えられると、棒状部材２１は弾性膜部７０を変形させるように降下することができる。棒状部材２１に加えられていた荷重が除去されると、弾性膜部７０が弾性的に元の形状へ戻り、棒状部材２１は弾性膜部７０により元の位置へ押し戻される。
【００３０】
箱状部１４Ｃの内部であって、弾性膜部７０よりも下の位置には第３の光源８０が設置されている。弾性膜部７０は透光性を有するものとして形成されている。そのため、第３の光源８０からの光は複数の棒状部材２１の下端面に入射し、棒状部材２１の内部を通って上端面から放出される。
また、第４実施形態に係る保持装置１Ｃは、図６を参照して説明した第２実施形態に係る保持装置１Ａが有する弾性材料ブロック５０と支持板６０を有し、第２実施形態と同様に複数の棒状部材２０は荷重の載荷および除去により上下動が可能な構成となっている。
【００３１】
（第５実施形態）
次に、本発明の第５実施形態に係る保持装置１Ｄにつき、図１０を参照して説明する。図１０は本発明の第５実施形態に係る保持装置１Ｄの平面図であり、第１実施形態の図２に対応する図である。第５実施形態に係る保持装置１Ｄは、複数の棒状部材２０のうち、仕切り板１２Ｄよりも上側へ突出している突出部分の周面に対して光を照射する第１の光源３０Ｄを、枠部１１Ｄの下方で複数の棒状部材２０の束の外周を囲むように配置するのではなく、仕切り板１２Ｄ上面の複数の棒状部材２０が配置されている範囲内に配置する。より詳しくは、図１０に示す様に、環状の第１の光源３０Ｄが仕切り板１２Ｄの中央に近い位置に配置され、第１の光源３０Ｄの内側および外側の両方に棒状部材２０が配置される構成となっている。
【００３２】
第１の光源３０Ｄはその周方向に互いに間隔を空けて配置される複数の発光部３１Ｄを有し、発光部３１Ｄは第１の光源３０Ｄから外側の方向へ、棒状部材２０の突出部分の周面に向けて光を照射するように構成されている。これに代えて発光部３１Ｄは第１の光源３０Ｄの内側の方向へ光を照射するものでもよく、あるいは、発光部３１Ｄは第１の光源３０Ｄの外側と内側の両方向へ光を照射するものであってもよい。更には、第１の光源３０Ｄは仕切り板１２Ｄの中央付近に配置され、複数の棒状部材２０は第１の光源３０Ｄの外側にのみ配置され、第１の光源３０Ｄの複数の発光部３１Ｄは放射状に光を照射するものであってもよい。
【００３３】
第５実施形態およびその変形例として説明した第１の光源３０Ｄの構成を、棒状部材２０の被収容部分の周面に対して光を照射する第２の光源４０に対しても適用してもよい。また、第１実施形態の第１の光源３０と第５実施形態の第１の光源３０Ｄの両方を同時に備えてもよく、このことは第２の光源４０についても同様である。
【００３４】
（比較例）
図１１は本発明の比較例に係る保持装置１００の縦断面図であり、第１実施形態の図３に対応する図である。第１実施形態の第１の光源３０と第２の光源４０に代えて、図１１に示す保持装置１００は各棒状部材２０の下端の下側にそれぞれ配置される複数の光源２００を有する。このような構成を有する比較例の保持装置１００においては、光源２００からの光を棒状部材２０の下端面から取り入れ、取り入れた光を棒状部材２０の上端面から放射する構成となっている。
比較例の保持装置１００においては、複数の棒状部材２０の上端に下向きの荷重が加えられると、その荷重の影響が棒状部材２０の下端から光源２００に伝達される可能性があり、光源２００の破損につながる可能性がある。対照的に、本発明の各実施形態に係る保持装置１、１Ａ〜１Ｄにおいては、棒状部材２０用の光源３０、４０は棒状部材２０の下端の下には配置されないためそのような問題が生じない。
【００３５】
また、比較例において光源２００から棒状部材２０の下端面に入射した光を、棒状部材２０の上端面のみならず突出部分の周面からも出射させようとすると、突出部分の周面を粗面化する等の加工が必要となる。対照的に、本発明の各実施形態に係る保持装置１、１Ａ〜１Ｄにおいては、棒状部材２０の突出部分の周面に対して光を照射する第１の光源３０が備えられるため、突出部分の周面を粗面化する等の加工は必要ない。
更には、図１１に示す比較例のように複数の棒状部材２０のそれぞれに直接光を入射するための光源２００を準備する構成では、棒状部材２０の数に応じて準備すべき光源２００の数が多くなり、製造や費用の観点から不利となる。
【００３６】
以上において説明した本発明の異なる実施形態の要素を、実現不可能な場合を除き、互いに組み合わせて実施してもよく、そのような実施の態様も本発明の範囲に含まれる。
本発明は上記発明の各局面や実施形態やその変形例の説明に何ら限定されるものではない。特許請求の範囲を逸脱せず、当業者が容易に想到できる範囲で種々の変形態様もこの発明に含まれる。
【符号の説明】
【００３７】
１、１Ａ、１Ｂ、１Ｃ、１Ｄ  保持装置
１０、１０Ａ、１０Ｂ、１０Ｃ、１０Ｄ  基台
１１、１１Ｄ  枠部
１２、１２Ａ、１２Ｂ、１２Ｃ、１２Ｄ  仕切り板
１３、１３Ａ、１３Ｂ  穴
１４、１４Ｃ  箱状部
１５、１５Ｃ  穴
２０  棒状部材
２１、２１Ｃ  棒状部材
３０、３０Ｄ  第１の光源
３１、３１Ｄ  発光部
４０  第２の光源
４１  発光部
５０  弾性材料ブロック
６０  支持板
７０  弾性膜部
７１  支持板
８０  第３の光源
【図１】
2018159730.tif 000003
【図２】
2018159730.tif 000004
【図３】
2018159730.tif 000005
【図４】
2018159730.tif 000006
【図５】
2018159730.tif 000007
【図６】
2018159730.tif 000008
【図７】
2018159730.tif 000009
【図８】
2018159730.tif 000010
【図９】
2018159730.tif 000011
【図１０】
2018159730.tif 000012
【図１１】
2018159730.tif 000013